(57)【要約】  本発明は、２ステージ電力変換デバイスの一部として使用することができるマトリックス変換器（４）を提供する。マトリックス変換器（４）は、３つの交流電圧ラインＡＣ１，ＡＣ２およびＡＣ３ならびに２つの直流電圧ラインＤＣ１およびＤＣ２を有する。６つの半導体スイッチ１０ａ〜１０ｆのアレイは、関連するスイッチが閉まる場合に、３つの交流電圧ラインＡＣ１，ＡＣ２およびＡＣ３の各々が２つの直流電圧ラインＤＣ１およびＤＣ２のうちの１つに接続することができるように配置される。本発明は、２つの直流電圧ラインＤＣ１およびＤＣ２の間にフリーホイールパス（フリーホイールダイオード２４）を追加し、これがすべてのスイッチ１０ａ〜１０ｆが開いている場合に、動作の第五状態を提供する。【選択図】図３
2008524978.tif 000002
【特許請求の範囲】
【請求項１】
次のものを含む、マトリックス変換器：
３つの交流電圧ライン； 
２つの直流電圧ライン； 
関連するスイッチが閉まるときに、３つの交流電圧ラインの各々が２つの直流電圧ラインのうちの１つに接続することができるように、３つの交流電圧ラインのうちの第一ラインと２つの直流電圧ラインのうちの第一ラインとの間に接続された第一スイッチ、３つの交流電圧ラインのうちの第二ラインと２つの直流電圧ラインのうちの第一ラインとの間に接続された第二スイッチ、３つの交流電圧ラインのうちの第三ラインと２つの直流電圧ラインのうちの第一ラインとの間に接続された第三スイッチ、３つの交流電圧ラインのうちの第一ラインと２つの直流電圧ラインのうちの第二ラインとの間に接続された第四スイッチ、３つの交流電圧ラインのうちの第二ラインと２つの直流電圧ラインのうちの第二ラインとの間に接続された第五スイッチ、および３つの交流電圧ラインのうちの第三ラインと２つの直流電圧ラインのうちの第二ラインとの間に接続された第六スイッチ；ならびに
２つの直流電圧ライン間のフリーホイールパス。 
【請求項２】
フリーホイールパスがダイオードを含む、請求項１記載のマトリックス変換器。
【請求項３】
フリーホイールパスが切り替えられるフリーホイールパスである、請求項１記載のマトリックス変換器。
【請求項４】
切り替えられるフリーホイールパスがサイリスターを含む、請求項３記載のマトリックス変換器。
【請求項５】
切り替えられるフリーホイールパスが、逆ブロッキング性能を有する半導体デバイスを含む、請求項３記載のマトリックス変換器。
【請求項６】
半導体デバイスがＲＢ−ＩＧＢＴである、請求項５記載のマトリックス変換器。
【請求項７】
半導体デバイスがＲＢ−ＧＴＯである、請求項５記載のマトリックス変換器。
【請求項８】
第一、第二、第三、第四、第五および第六スイッチが一方向性である、請求項１〜７のいずれかに記載のマトリックス変換器。
【請求項９】
第一、第二、第三、第四、第五および第六スイッチが半導体スイッチを含む、請求項８記載のマトリックス変換器。
【請求項１０】
半導体スイッチが逆ブロッキング性能を有する、請求項９記載のマトリックス変換器。
【請求項１１】
半導体スイッチがＲＢ−ＩＧＢＴである、請求項９または請求項１０記載のマトリックス変換器。
【請求項１２】
半導体スイッチがＲＢ−ＧＴＯである、請求項９または請求項１０記載のマトリックス変換器。
【請求項１３】
第一、第二、第三、第四、第五および第六スイッチが、直列配置でともに接続された半導体スイッチおよびダイオードを含む、請求項８記載のマトリックス変換器。
【請求項１４】
半導体スイッチがＩＧＢＴである、請求項１３記載のマトリックス変換器。
【請求項１５】
半導体スイッチがＭＯＳＦＥＴである、請求項１３記載のマトリックス変換器。
【請求項１６】
半導体スイッチがＩＧＣＴである、請求項１３記載のマトリックス変換器。
【請求項１７】
半導体スイッチがＭＣＴである、請求項１３記載のマトリックス変換器。
【請求項１８】
半導体スイッチがＧＴＯである、請求項１３記載のマトリックス変換器。
【請求項１９】
ダイオードがＦＲＤである、請求項１３記載のマトリックス変換器。
【請求項２０】
第一、第二、第三、第四、第五および第六スイッチが双方向性である、請求項１〜７のいずれかに記載のマトリックス変換器。
【請求項２１】
第一、第二、第三、第四、第五および第六スイッチが半導体スイッチを含む、請求項２０記載のマトリックス変換器。
【請求項２２】
半導体スイッチが逆ブロッキング性能を有する、請求項２１記載のマトリックス変換器。
【請求項２３】
半導体スイッチがＲＢ−ＩＧＢＴである、請求項２２記載のマトリックス変換器。
【請求項２４】
半導体スイッチがＲＢ−ＧＴＯである、請求項２２記載のマトリックス変換器。
【請求項２５】
第一、第二、第三、第四、第五および第六スイッチが、直並列配置でともに接続された逆向きペアの半導体スイッチおよびペアのダイオードを含む、請求項２１記載のマトリックス変換器。
【請求項２６】
ペアの半導体スイッチがＩＧＢＴである、請求項２５記載のマトリックス変換器。
【請求項２７】
ペアのＩＧＢＴのエミッタがともに接続される、請求項２６記載のマトリックス変換器。
【請求項２８】
ペアのＩＧＢＴのコレクタがともに接続される、請求項２６記載のマトリックス変換器。
【請求項２９】
ペアの半導体スイッチがＭＯＳＦＥＴである、請求項２５記載のマトリックス変換器。
【請求項３０】
ペアの半導体スイッチがＩＧＣＴである、請求項２５記載のマトリックス変換器。
【請求項３１】
ペアの半導体スイッチがＭＣＴである、請求項２５記載のマトリックス変換器。
【請求項３２】
ペアの半導体スイッチがＧＴＯである、請求項２５記載のマトリックス変換器。
【請求項３３】
ペアのダイオードがＦＲＤである、請求項２５記載のマトリックス変換器。
【請求項３４】
ペアの半導体スイッチの電流定格および／またはペアのダイオードの電流定格が非対称である、請求項２５〜３３のいずれかに記載のマトリックス変換器。
【請求項３５】
請求項１〜３４のいずれかに記載のマトリックス変換器を使用する電力変換方法であって、次のステップを含む方法：
直流電圧ラインに交流電圧の瞬間サンプルを供給するステップ；ならびに
直流電流がフリーホイールパスを介して流れるように、マトリックス変換器の第一、第二、第三、第四、第五および第六スイッチを開くステップ。
【請求項３６】
次のものを含む、電力変換デバイス：
請求項１〜３４のいずれかに記載のマトリックス変換器；および
インバーター。
【請求項３７】
インバーターが、電流源インバーターであり、インバーターまたは整流器として作動する、請求項３６記載の電力変換デバイス。
【請求項３８】
インバーターが、電圧源インバーターであり、インバーターまたは整流器として作動する、請求項３７記載の電力変換デバイス。
【請求項３９】
さらに、マトリックス変換器の直流電圧ライン間に接続された直流リンクフィルターを含む、請求項３６〜３８のいずれかに記載の電力変換デバイス。
【請求項４０】
さらに、マトリックス変換器の交流電圧ラインに接続された交流ラインフィルターを含む、請求項３６〜３９のいずれかに記載の電力変換デバイス。
【請求項４１】
さらに、マトリックス変換器の直流電圧ライン間に接続されたスイッチング援助ネットワーク（スナバー）を含む、請求項３６〜４０のいずれかに記載の電力変換デバイス。
【請求項４２】
スイッチング援助ネットワーク（スナバー）が、キャパシター抵抗器タイプである、請求項４１記載の電力変換デバイス。
【請求項４３】
次のものを含む、電力変換デバイス：
請求項１〜３４のいずれかに記載の第一のマトリックス変換器；ならびに
請求項１〜３４のいずれかに記載の第二のマトリックス変換器；
ここで、第一および第二マトリックス変換器が並列に配置されるように、第一マトリックス変換器の３つの交流電圧ラインおよび第二マトリックス変換器の３つの交流電圧ラインがともに接続され、ならびに第一マトリックス変換器の２つの直流電圧ラインおよび第二マトリックス変換器の２つの直流電圧ラインがともに接続される、電力変換デバイス。
【請求項４４】
さらに、第一マトリックス変換器の交流電圧ラインに接続された交流ラインフィルターおよび第二マトリックス変換器の交流電圧ラインに接続された交流ラインフィルターを含む、請求項４３記載の電力変換デバイス。
【請求項４５】
さらに、第一マトリックス変換器の直流電圧ライン間の第一スイッチング援助ネットワーク（スナバー）および第二マトリックス変換器の直流電圧ライン間の第二スイッチング援助ネットワーク（スナバー）を含む、請求項４３または請求項４４記載の電力変換デバイス。
【請求項４６】
第一および第二スイッチング援助ネットワーク（スナバー）がキャパシター抵抗器タイプである、請求項４５記載の電力変換デバイス。
【請求項４７】
第一マトリックス変換器の直流電圧ラインおよび第二マトリックス変換器の直流電圧ラインが、２つの共通の直流電圧ラインに接続され、さらに、共通の直流電圧ライン間に接続された直流リンクフィルターを含む、請求項４３〜４６のいずれかに記載の電力変換デバイス。
【請求項４８】
さらに、第一および第二マトリックス変換器を互いから選択的に隔離するための手段を含む、請求項４３〜４７のいずれかに記載の電力変換デバイス。
【請求項４９】
さらに、インバーターを含む、請求項４３〜４８のいずれかに記載の電力変換デバイス。
【請求項５０】
インバーターが電流源インバーターである、請求項４９記載の電力変換デバイス。
【請求項５１】
インバーターが電圧源インバーターである、請求項４９記載の電力変換デバイス。
【発明の詳細な説明】
【技術分野】
【０００１】
本発明は、マトリックス変換器に関し、特に、２ステージ電力変換デバイスの第一ステージを形成するために使用することができ、あるいは単一または多重ステージ電源として使用することができるマトリックス変換器に関するものである。２ステージ電力変換デバイスは、例えば、可変速度ドライブを電源ネットワークに接続するために使用することができる。マトリックス変換器は、直流負荷を供給するために、あるいは交流送電網または電源ネットワークにフィードバックされる電力を調節するためにも使用することができる。
【背景技術】
【０００２】
マトリックス変換器は、可変速度ドライブおよび電源のために直接電力変換を提供するますますポピュラーな方法になっている。その最も基礎的な形式において、マトリックス変換器は、既定の構成における複数の入力ラインのいずれかを、複数の出力ラインのいずれかに接続することができるように配置される多くのスイッチから成る。従来の単一ステージのマトリックス変換器は、図１に示される。マトリックス変換器は、負荷に三相交流出力電圧を供給するために、三相交流電圧電源ネットワークのＩ１、Ｉ２およびＩ３とラベルの付いた３入力ライン、ならびにＯ１、Ｏ２およびＯ３とラベルの付いた３出力ラインを有している。９つの双方向スイッチＳｌ〜Ｓ９は、入力ラインＩ１、Ｉ２およびＩ３のいずれかを出力ラインＯ１、Ｏ２およびＯ３のいずれかに接続することを可能にする。
【０００３】
スイッチは、半導体デバイスを使用して実装され、単一ステージのマトリックス変換器がモーターアプリケーションおよび発生アプリケーションの両方に使用することができるように、双方向になり得る。通常の双方向スイッチ実装は、逆向きに直列接続されたペアの高速回復ダイオード（ＦＲＤ）およびそのダイオードに逆並列に接続されたペアの絶縁ゲートバイポーラトランジスタ（ＩＧＢＴ）を使用する。ＩＧＢＴは、共通コレクタ（図２ａ）あるいは共通エミッタ（図２ｂ）配置でともに接続することができる。金属酸化膜半導体電界効果トランジスター（ＭＯＳＦＥＴ）、集積ゲート整流サイリスター（ＩＧＣＴ）、ＭＯＳ制御サイリスター（ＭＣＴ）およびゲートターンオフサイリスター（ＧＴＯ）のような他のソリッドステートデバイスは、ＩＧＢＴの代わりに使用することができる。また、しばしば、逆ブロッキング絶縁ゲートバイポーラトランジスタ（ＲＢ−ＩＧＢＴ）のような逆ブロッキング能力を有する半導体デバイスを使用することが便利である。
【０００４】
三相交流出力電圧の波形は、パルス幅変調を使用して通常作成される。パルス幅変調は、本発明のマトリックス変換器に関連して以下に詳細に記述されるが、図１に関連して、本質的に、特定のシーケンスおよびあらかじめ選択された期間において、出力ラインＯ１−Ｏ３の各々を入力ラインI１−I３の各々へ接続することが含まれている。したがって、三相交流出力電圧は三相入力電圧の部分から構成される。スイッチＳ１−Ｓ９は、通常特定の変調方法に従って開閉するように制御される。
【０００５】
従来のマトリックス変換器における大きな問題の１つは、自然フリーホイールパスが不足していることである。したがって、スイッチの動作は注意深く制御されなければならない。出力ラインが入力ラインの２つ以上に同時に接続される場合、これは短絡を引き起こし、結果として生じる大きな電流が、マトリックス変換器に大きな破損を引き起こし、あるいはそれを破壊することさえある。他方、出力ラインが入力ラインのどれにも接続されない場合、誘導電流負荷のためのパスは存在しないので、これは大きな過剰電圧を引き起こす。現在利用可能な半導体スイッチは、必要な精度でオンオフを切り替えることができないので、マトリックス変換器の出力ライン上で、所定の順序形式の電流整流を使用することなく短絡および開放回路を防ぐことは不可能であることが認識されるだろう。可能な４ステップ整流方法の１つは、ウィラー博士（Dr Wheeler, P.）；クレア博士（Dr Clare, J.）；エプリーマン博士（Dr Empringham, L.）による「マトリックス変換器のための双方向スイッチ整流」("Bidirectional Switch Communication for Matrix Converters")（ＥＰＥ‘９９−ローザンヌ（Lausanne））に記述される。この問題は、この発明に従うマトリックス変換器において扱われる。
【０００６】
また、マトリックス変換器を負荷に直流出力電圧を提供する整流器として使用することも可能である。オーチスエレベータ会社（Otis Elevator Company）に対する米国特許第６，１６６，９３０号は、直流エレベータモーターに三相交流入力電圧を直接接続するために使用されるマトリックス変換器について記述している。マトリックス変換器は、３相交流入力電圧を受け取るための３つの入力ライン、およびエレベータモーターの直流界磁巻線に直流出力電圧を供給するための２つの出力ラインを有する。ＩＧＢＴを使用して実装された６個の双方向スイッチは、３つの入力ラインのいずれかが出力ラインのどちらかに接続され、エレベータモーターの入力端子に必要な直流電圧波形を提供するために、パルス幅変調を使用して順に制御することを可能にする。エレベータモーターは、エレベータ車両および釣り合いおもりがロープで結ばれる綱車を駆動するために使用される。エレベータモーターは、例えば、エレベータ車両が減速する場合、エレベータ車両が定格負荷未満の負荷で上へ移動している場合、およびエレベータ車両が定格負荷より大きい負荷で下へ移動している場合、再生モードで作動することができる。双方向スイッチは、エレベータモーターが通常動作（モーターモード）である場合に交流から直流へ、あるいは再生モードにおいて直流から交流へのどちらかの方向で、電流が流れることを可能にする。また、双方向スイッチは、正または負の直流電圧極性で電流が流れることを可能にする。
【特許文献１】米国特許第６，１６６，９３０号
【非特許文献１】ウィラー博士（Dr Wheeler, P.）；クレア博士（Dr Clare, J.）；エプリーマン博士（Dr Empringham, L.）による「マトリックス変換器のための双方向スイッチ整流」("Bidirectional Switch Communication for Matrix Converters")（ＥＰＥ‘９９−ローザンヌ（Lausanne））
【非特許文献２】クランパー（Klumpner, C.）；ブラジャー（Blaabjerb, F.）による「２ステージ直接電力変換デバイス：マトリックス変換器の代替」（ＩＥＥセミナー、マトリックス変換器、２００３年４月１日、オースチンコート（Austin Court））
【発明の開示】
【発明が解決しようとする課題】
【０００７】
従来のマトリックス変換器は、単一ステージ電力変換デバイスとして通常使用されるが、それらを２ステージ電力変換デバイスの一部として使用することもできる。クランパー（Klumpner, C.）；ブラジャー（Blaabjerb, F.）による「２ステージ直接電力変換デバイス：マトリックス変換器の代替」（ＩＥＥセミナー、マトリックス変換器、２００３年４月１日、オースチンコート（Austin Court））は、図３（ｂ）に関連して、整流ステージとして使用されるマトリックス変換器、およびＩＧＢＴおよびＦＲＤの配置が電圧源インバーター（ＶＳＩ）を形成するためにともに接続される転換ステージから成る２ステージ直接電力変換デバイスについて記述する。直列のダイオードおよびキャパシターから成るサージアレスターは、２ステージ変換器の直流リンクを横切って伸びる。これはフリーホイールパスではない。
【課題を解決するための手段】
【０００８】
本発明は、次のものを含むマトリックス変換器を提供する：
３つの交流電圧ライン；
２つの直流電圧ライン；
関連するスイッチが閉まる時に、３つの交流電圧ラインの各々が２つの直流電圧ラインの１つに接続することができるように、３つの交流電圧ラインの第一ラインと２つの直流電圧ラインの第一ラインとの間に接続された第一スイッチ、３つの交流電圧ラインの第二ラインと２つの直流電圧ラインの第一ラインとの間に接続された第二スイッチ、３つの交流電圧ラインの第三ラインと２つの直流電圧ラインの第一ラインとの間に接続された第三スイッチ、３つの交流電圧ラインの第一ラインと２つの直流電圧ラインの第二ラインとの間に接続された第四スイッチ、３つの交流電圧ラインの第二ラインと２つの直流電圧ラインの第二ラインとの間に接続された第五スイッチ、および３つの交流電圧ラインの第三ラインと２つの直流電圧ラインの第二ラインとの間に接続された第六スイッチ；ならびに
２つの直流電圧ライン間のフリーホイールパス。
【０００９】
マトリックス変換器は、インバーターステージを含む２ステージ電力変換デバイスにおいて第一ステージとして使用することができる。また、マトリックス変換器は、直流負荷を供給し、あるいは送電網または電源ネットワークに供給される電力を調節するためにも使用することができる。
【００１０】
２ステージ電力変換デバイスのインバーターステージは、電圧源インバーター（ＶＳＩ）または電流源インバーターであることが好ましい。しかしながら、任意の他の適切なインバーターも特定用途に依存して使用され得ることは容易に認識されるだろう。そのようなインバーターも再生目的の整流器として操作されるかもしれない。また、電力変換デバイスは、マトリックス変換器の直流電圧ラインを横切って接続された直流リンクフィルター、および交流ラインフィルターを含むことが好ましい。
【００１１】
２ステージ電力変換デバイスは、電源ネットワークに可変速度ドライブを接続するために使用することができる。例えば、固定周波数の三相交流入力電圧は、送電網または電源ネットワークからマトリックス変換器に供給することができる。マトリックス変換器は、三相交流入力電圧を整流し、その結果の直流出力電圧は、直流リンクフィルターによってフィルターされ、インバーターステージへ供給される。その後、インバーターステージは、可変速度ドライブに可変周波数の交流出力電圧を提供するために制御することができる。
【００１２】
別のアプリケーションにおいて、マトリックス変換器は、送電網または電源ネットワークに可変速度発生器を接続するために使用することができる。発生器は、原動機またはタービンによって駆動される。送電網または電源ネットワークの電圧および周波数が、正確な範囲内で維持されるように規制されなければならないことが容易に認識されるだろう。したがって、マトリックス変換器は、これらの正確な限度に従って、発生器調整に責任を負うインバーターの可変直流出力電圧を変換するために使用することができる。この方法において、マトリックス変換器は、大きな送電網または電源ネットワークに電力を分配する目的で、（他の電力発生システムによってエネルギーを与えられた）既存のエネルギー化電源ネットワークへ低ひずみ交流電流を供給するために使用することができる。あるいは、マトリックス変換器は、発生器からの直流リンク電力をこれらの正確な制限に従う低ひずみ電圧および電流電源に変換することによって、送電網または電源ネットワークに対して電源の単独ソースとして使用することができる。そのような多くのマトリックス変換器および発生器は、高品質電源を提供するために協同して操作してもよい。
【００１３】
発生器から送電網または電源ネットワークへ直流リンク電力を供給するために、発電モードのみで作動するために構成されるマトリックス変換器が、電流源インバーターと同一であると考えることができることは容易に認識されるだろう。この発明の重要性は、マトリックス変換器が、一方向直流リンク電圧を保持しながら双方向電力潮流を調整することができる、つまりその直流電流の流れが双方向であることである。従来の電流源インバーターは、その直流ターミナル電圧を逆にすることによって双方向電力潮流を調整することができる、つまりその直流電流の流れが一方向である。この発明によるマトリックス変換器における一方向の直流電圧は、利益を提供するフリーホイールパスを可能にするために特に使用される。
【００１４】
さらに別のアプリケーションにおいて、マトリックス変換器は、上述と同じ方法であるがモーターモードで作動することができるという別の利点を備えて使用することができる。言いかえれば、発生器は、送電網または電源ネットワークによって電力が供給されるモーターとして動作させることができる。マトリックス変換器のモータリング性能は、原動機またはタービンによって電力を供給することなく発電機を回転させなければならないコミッショニング目的(作動目的)および試験目的において有用であり得る。モーターモードは、作動目的および試験目的で原動機をスタートし、あるいは原動機を回転させ、発生器がモーターとして使用されることを可能にするために使用することができる。
【００１５】
この発明によるマトリックス変換器は、２つの直流電圧ライン間にフリーホイールパスを含んでいるが、３つの交流電圧ラインの各々が２つの直流電圧ラインに接続し、およびそれから分離することができるように、スイッチがパルス幅変調を使用して順に開きおよび閉じるように制御される点において、従来のマトリックス変換器と同様に作動する。
【００１６】
フリーホイールパスは、ダイオードを含むことが好ましい。しかしながら、ダイオードの代わりに、フリーホイールパスが、電力変換デバイスの動作中にある期間だけスイッチオン（すなわち使用可能）され、ほかの期間にスイッチオフ（すなわち使用不可）されるように、フリーホイールパスは、サイリスター、あるいは逆ブロッキング絶縁ゲートバイポーラトランジスタ（ＲＢ−ＩＧＢＴ）、あるいは逆ブロッキングゲートターンオフサイリスター（ＲＢ−ＧＴＯ）のような任意の他の適切な逆ブロッキングデバイスを含んでもよい。
【００１７】
フリーホイールパスの追加は、従来のマトリックス変換器からの著しい進歩を意味しており、交流電圧ラインの各々をいずれかの極性において直流電圧ラインの両方へ接続することによって提供される３つの状態、および直流電圧ラインの両方を同じ交流電圧ラインへに接続することによって提供される第四の状態に加えて、「第五の状態」を提供する。「第五状態」において、直流電圧ラインが交流電圧ラインのどれにも接続されないように、マトリックススイッチのすべては開放状態に操作される。大きな過剰電圧を引き起こす代わりに、誘導電流負荷はフリーホイールパスを介して流れることが可能になる。マトリックス変換器が、モーターアプリケーションに使用される場合、直流出力電圧は、低レベルに変調されたパルス幅であり、「第五状態」は、その時間の大きな割合で使用され、フリーホイールパスが低電導損失を有するので、従来のマトリックス変換器と比較した場合に、これは消費を著しく削減し、効率を増加させることに帰着する。「第五状態」の別の利点は、パルス幅変調コモンモード電圧が減少することである。
【００１８】
第一、第二、第三、第四、第五および第六スイッチは、一方向性であり得る。これはマトリックス変換器がモーターアプリケーション（つまり三相入力交流電圧が交流電圧ラインに供給される場合）のため、あるいは生成アプリケーション（つまり直流入力電流が直流電圧ラインに供給される場合）のためのどちらかに使用されることを可能にするが、同時に両方のために使用することはできない。モーターアプリケーションにおいては、マトリックス変換器は、三相交流入力電圧を整流し、電力変換デバイスのインバーターステージに直流出力電圧を供給する。電源アプリケーションにおいては、マトリックス変換器は、三相交流入力電圧を整流し、要求される場合にフィルターおよび他の電力電子ステージを介して負荷に直流出力電圧を供給する。発生アプリケーションにおいては、マトリックス変換器は、入力直流電流を逆にし、三相交流出力電圧を供給する。マトリックス変換器は、発生アプリケーションのためにも使用することができるが、本発明の主な利点は、マトリックス変換器が、モーターおよび電源アプリケーションにおいて使用される場合にこそ実現される。
【００１９】
第一、第二、第三、第四、第五および第六の一方向性スイッチは、半導体デバイスを含むことが好ましい。半導体デバイスは、ＲＢ−ＩＧＢＴまたはＲＢ−ＧＴＯのような逆ブロッキング性能を有していてもよい。あるいは、第一、第二、第三、第四、第五および第六スイッチは、直列に半導体スイッチおよびダイオードを含むことができる。半導体スイッチは、ＩＧＢＴであることが好ましいが、半導体スイッチは、例えば、金属酸化膜半導体電界効果トランジスター（ＭＯＳＦＥＴ）、集積化ゲート整流サイリスター（ＩＧＣＴ）、ＭＯＳ制御サイリスター（ＭＣＴ）およびゲートターンオフサイリスター（ＧＴＯ）のような任意の他の適切なソリッドステートデバイスであり得ることが容易に認識されるだろう。ペアの半導体スイッチが閉まっている場合、電流は、半導体スイッチおよびダイオードの極性によって、第一半導体スイッチに関係した交流電圧ラインから直流正電圧ラインへ、および直流負電圧ラインから第二半導体スイッチに関係した交流電圧ラインへ流れることができ（モーターアプリケーション）、あるいは直流正電圧ラインから第一半導体スイッチに関係した交流電圧ラインへ、および第二半導体スイッチに関係した交流電圧ラインから直流負電圧ラインへ流れることができる（発生アプリケーション）。
【００２０】
また、第一、第二、第三、第四、第五および第六スイッチは、双方向性であり得る。これはマトリックス変換器が、状況によってモーターおよび発生アプリケーションの両方のために使用されることを可能にする。また、第一、第二、第三、第四、第五および第六スイッチを双方向性にすることは、直流出力電圧がどちらの極性でもあり得ることを可能にする。
【００２１】
第一、第二、第三、第四、第五および第六の双方向スイッチは、ペアの半導体デバイスを含むことが好ましい。スイッチの各々は、逆向きに直列接続されたペアのダイオード、およびダイオードと逆並列にともに接続されたペアの半導体スイッチを含むことが好ましい。半導体スイッチは、ＩＧＢＴであることが好ましいが、半導体スイッチが、例えば、金属酸化膜半導体電界効果トランジスター（ＭＯＳＦＥＴ）、集積化ゲート整流サイリスター（ＩＧＣＴ）、ＭＯＳ制御サイリスター（ＭＣＴ）、およびゲートターンオフサイリスター（ＧＴＯ）のような任意の他の適切なソリッドステートデバイスでよいことは容易に認識されるだろう。ＩＧＢＴは、いわゆる共通エミッタあるいは共通コレクタ配置で接続することができる。ペアの半導体スイッチの第一スイッチが閉まっている場合、電流は、別の半導体スイッチと逆並列に接続される第一半導体スイッチおよびダイオードを介して、関連する交流電圧ラインから関連する直流電圧ラインへ流れることができる。同様に、別の半導体スイッチが閉まっている場合、電流は、第一半導体スイッチと逆並列に接続される別の半導体スイッチおよびダイオードを介して、関連する直流電圧ラインから流れることができる。
【００２２】
双方向スイッチが、一方向性スイッチの２倍の半導体デバイスを要求することは明白である。しかしながら、双方向スイッチを有するマトリックス変換器が提示することができる多様性が増加するという利点は、通常この欠点より重要である。モーターまたは発生アプリケーションのいずれかのために、マトリックス変換器が主に（しかし排他的でなく）使用されることになっている場合、ペアの半導体スイッチおよび／またはペアのダイオードの電流定格は、非対称になり得る。
【００２３】
電力変換デバイスは、さらに直流電圧ライン間に接続したスイッチング援助ネットワーク（スナバー）を含んでいてもよい。スナバーは、特定のアプリケーションによって任意の適切なタイプでよい。例えば、スナバーは、キャパシター抵抗器タイプでもよい。フリーホイールパスのターミナルを横切って発生する任意のスイッチング電圧過渡現象は、第一、第二、第三、第四、第五および第六スイッチの一部を形成する任意の半導体デバイスによっても発生する。 したがって、単一スナバーだけが必要である。これは、電力変換デバイスの設計を単純化し、その効率を改善する。
【００２４】
本発明は、また、上に記述されたマトリックス変換器を使用する電力変換の方法を提供し、その方法は、次のステップを含む：
直流電圧ラインへ交流電圧の瞬間サンプルを供給し、それによって直流電流を確立し；および
フリーホイールパスを介して直流電流が流れるように、マトリックス変換器の第一、第二、第三、第四、第五および第六スイッチを開く。
【００２５】
第一、第二、第三、第四、第五および第六スイッチを開くことは、マトリックス変換器を上に言及された「第五状態」に置く。このステップは、出力ラインが入力ラインのどれにも接続されない場合に、誘導電流負荷のための自然フリーホイールパスが存在しないため、従来のマトリックス変換器では簡単に実行することができず、これは大きな過剰電圧を引き起こす可能性がある。従来のマトリックス変換器において、単一パルス抑制イベントと関連したサージエネルギーを吸収するために、大規模で複雑な直流サージサプレッサー回路を使用することは、通常の行為である。反復的なパルス抑制イベントからサージ保護することは実際的ではない。したがって、直流電圧ライン間へのフリーホイールパスの追加は、この問題の解決法を提供し、マトリックス変換器が電流整流の複雑な形式に頼る必要がないことを意味する。
【００２６】
また、本発明は、次のものを含む電力変換デバイスを提供する：
上に記述されたような第一マトリックス変換器；および
上に記述されたような第二マトリックス変換器；
ここで、第一および第二マトリックス変換器が並列に配置されるように、第一マトリックス変換器の３つの交流電圧ラインおよび第二マトリックス変換器の３つの交流電圧ラインがともに接続され、ならびに第一マトリックス変換器の２つの直流電圧ラインおよび第二マトリックス変換器の２つの直流電圧ラインがともに接続される。
【００２７】
また、電力変換デバイスは、第一マトリックス変換器の交流電圧ラインに接続された交流ラインフィルター、および第二マトリックス変換器の交流電圧ラインに接続された交流ラインフィルターを含むことが好ましい。
【００２８】
第一スイッチング援助ネットワーク（スナバー）は、第一マトリックス変換器の直流電圧ライン間に位置することができ、第二スイッチング援助ネットワーク（スナバー）は、第二マトリックス変換器の直流電圧ライン間に位置することができる。スナバーは、特別の状況によって任意の適切なタイプであり得る。例えば、スナバーは、キャパシター抵抗器タイプであり得る。
【００２９】
第一マトリックス変換器の直流電圧ラインおよび第二マトリックス変換器の直流電圧ラインは、２つの共通直流電圧ラインに接続されことが好ましく、電力変換デバイスは、共通直流電圧ライン間に接続された直流リンクフィルターを含むことが好ましい。
【００３０】
第一および第二マトリックス変換器の一つが破損されるか正常に機能しない場合に、適切な停止を可能にできるように第一および第二マトリックス変換器を互いから選択的に隔離するために、スイッチギヤーまたはヒューズのような手段が提供されることが好ましい。
【００３１】
電力変換デバイスが、並列に配置された第一マトリックス変換器および第二マトリックス変換器に制限されないことは容易に認識されるだろう。実際、３台以上のマトリックス変換器を並列に配置することができる。更に、電力変換デバイスは、例えば電流源インバーターあるいは電圧源インバーターであるインバーターを含むことが好ましい。
【発明を実施するための最良の形態】
【００３２】
本発明によるマトリックス変換器のトポロジーおよび動作を、図３〜６を参照して説明する。図３は、交流ラインフィルター２、マトリックス変換器４、直流リンクフィルター６および電圧源インバーター８を含む基本的な２ステージ電力変換デバイスを示す。任意の他の適切なタイプのインバーター（例えば、電流源インバーターのような）は、特定アプリケーションによって電圧源インバーター８の代わりに使用することができる。電力変換デバイスの電圧源インバーター８は、ＡＬＳＴＯＭパワー変換株式会社、船舶および海外部門、ボートン通り、ラグビー、ＣＶ２１ ＩＢＵ、英国（ALSTOM Power Conversion Limited, Marine and Offshore Division, Boughton Road, Rugby, CV21 1BU, United Kingdom）から入手可能なＡＬＳＴＯＭ ＶＤＭ２５０００製品を使用して実装してもよい。
【００３３】
マトリックス変換器４は、ＡＣ１、ＡＣ２およびＡＣ３とラベルの付いた３つの交流電圧ライン、およびＤＣ１およびＤＣ２とラベルの付いた２つの直流電圧ラインを含む。６個のスイッチアセンブリー１０ａ〜１０ｆは、交流電圧ラインＡＣ１、ＡＣ２およびＡＣ３のいずれかが、直流電圧ラインＤＣ１およびＤＣ２のいずれかに接続されることを可能にする。例えば、スイッチアセンブリー１０ａは、第一交流電圧ラインＡＣ１を第一直流電圧ラインＤＣ１に接続することができ、スイッチアセンブリー１０ｂは、第一交流電圧ラインＡＣ２を第二直流電圧ラインＤＣ２に接続すること等ができる。スイッチアセンブリー１０ａ〜１０ｆは、マトリックス変換器がモーターまたは発生アプリケーションのどちらに使用されるかによって一方向性または双方向性になり得る。
【００３４】
モーターアプリケーションにおいて、三相交流入力電圧は、電源ネットワークから交流電圧ラインＡＣ１、ＡＣ２およびＡＣ３に供給され、マトリックス変換器４によって整流され、直流電圧ラインＤＣ１およびＤＣ２上に直流出力電圧を提供する。逆の場合に、直流出力電圧は電圧源インバーター８に供給される。２ステージ電力変換デバイスから生じる交流出力電圧は、例えば速度制御のためにモーター（図示しない）に供給することができる。
【００３５】
発生アプリケーションにおいて、直流入力電流は、直流電圧ラインＤＣ１およびＤＣ２に供給され、マトリックス変換器４によって逆変換され、交流電圧ラインＡＣ１、ＡＣ２およびＡＣ３上に交流出力電圧を提供する。マトリックス変換器４は、発生アプリケーションのためにも使用することができるが、本発明の主要な利点は、モーターアプリケーションにおいて実現されることに留意することは重要である。
【００３６】
図４を参照して、マトリックス変換器４が、モーターおよび発生アプリケーションのために使用される場合、電流は、各スイッチアセンブリー１０ａ〜１０ｆを両方向に通過することができる。したがって、各スイッチアセンブリー１０ａ〜１０ｆは、直並列配置のＩＧＢＴデバイス１２およびダイオード１４の逆向きペアを含んでいる。
【００３７】
スイッチアセンブリー１０ｃおよび１０ｂの２つが分離していると考えると、モーターアプリケーションにおいては、特にこれらのスイッチが閉まっている場合で、かつ第二直流電圧ラインＤＣ２の電圧が第一直流電圧ラインＤＣ１の電圧に対して正の場合、電流は、ＡＣラインフィルターコンデンサ１６ａを介してＩＧＢＴデバイス１２ｂの１つおよびダイオード１４ａの１つを通過し、およびＩＧＢＴデバイス１２ｃの１つおよびダイオード１４ｄの１つを通過し、第一および第二交流電圧ラインＡＣ１およびＡＣ２と直流電圧ラインＤＣ１およびＤＣ２との間で循環することができる。モーターアプリケーションにおいて循環電流のパスは、自由形の矢印によって表示される。発生アプリケーションにおいて、電流は、ＡＣラインフィルターコンデンサ１６ａを介してＩＧＢＴデバイス１２ａの他方およびダイオード１４ｂの他方を通過し、およびＩＧＢＴデバイス１２ｄの他方およびダイオード１４ｃの他方を通過し、第一および第二交流電圧ラインＡＣ１およびＡＣ２と、直流電圧ラインＤＣ１およびＤＣ２との間で循環することができる。
【００３８】
スイッチアセンブリー１０ａ〜１０ｆを双方向にすれば、直流電圧ラインＤＣ１およびＤＣ２における正または負の直流電圧極性のいずれかによって、両方向に電流を流すことが可能である。
【００３９】
マトリックス変換器４が、モーターアプリケーションのためにのみ使用される場合、スイッチアセンブリー１０ａ〜１０ｆは、図５に示されるように単純化することができる。この場合、各スイッチアセンブリーは、ＩＧＢＴデバイス１２およびダイオード１４だけを含んでいる。ＩＧＢＴデバイス１２およびダイオード１４の極性は、逆（すなわち生成）方向へ流れる電流をブロックするために選ばれる。図５に示されるように、第二直流電圧ラインＤＣ２の電圧は、第一直流電圧ラインＤＣ１の電圧に対して常に正になる。交流ラインフィルター２は、３つの交流電圧ラインＡＣ１、ＡＣ２およびＡＣ３の各々の間に配置された３つのデルタ接続キャパシター１６ａ、１６ｂおよび１６ｃを含んでいる。キャパシターがスター構成でともに接続されてもよいことは容易に認識されるだろう。直流リンクフィルター６は、２つの直流電圧ラインＤＣ１およびＤＣ２と、シリーズインダクター２０との間に配置されるキャパシター１８を含んでいる。
【００４０】
本発明によるマトリックス変換器４の原理的特徴は、直流電圧ラインＤＣ１およびＤＣ２間へのフリーホイールパス２２の追加である。これは、スイッチ化フリーホイールパス（例えばサイリスターを含む）、あるいは図示したように単純なフリーホイールダイオード２４であり得る。フリーホイールパス２２の目的は、スイッチアセンブリー１０ａ〜１０ｆを使用して交流電圧ラインＡＣ１、ＡＣ２およびＡＣ３の各々を直流電圧ラインＤＣ１およびＤＣ２の両方に接続することによって提供される３つの状態、および直流電圧ラインＤＣ１およびＤＣ２の両方を同じ交流電圧ラインに接続することによって提供される第四状態に加えて、「第五状態」を提供することである。これは、下に示される表１を参照して詳細に説明される。マトリックス変換器４が、モーターアプリケーションに対して使用される場合、２つの直流電圧ラインＤＣ１およびＤＣ２（出力ライン）は、次の組み合わせのいずれにおいても３つの交流電圧ラインＡＣ１、ＡＣ２およびＡＣ３（入力ライン）に接続することができることが認識されるだろう。
【００４１】
【表１】
2008524978.tif 000003
【００４２】
「第一状態」において、直流電圧ラインＤＣ１およびＤＣ２の一方は、第一交流電圧ラインＡＣ１に接続され、直流電圧ラインＤＣ１およびＤＣ２の他方は、第二交流電圧ラインＡＣ２に接続される。したがって、直流電圧ラインＤＣ１およびＤＣ２を横切った直流出力電圧は、その特別の状態において、第一および第二交流電圧ラインＡＣ１およびＡＣ２に供給された交流入力電圧から導出される。
【００４３】
「第二状態」において、直流電圧ラインＤＣ１およびＤＣ２の一方は、第一交流電圧ラインＡＣ１に接続され、直流電圧ラインＤＣ１およびＤＣ２の他方は、第三交流電圧ラインＡＣ３に接続される。したがって、直流電圧ラインＤＣ１およびＤＣ２を横切った直流出力電圧は、その特別の状態において、第一および第三交流電圧ラインＡＣ１およびＡＣ３に供給された交流入力電圧から導出される。
【００４４】
「第三状態」において、直流電圧ラインＤＣ１およびＤＣ２の一方は、第二交流電圧ラインＡＣ２に接続され、直流電圧ラインＤＣ１およびＤＣ２の他方は、第三交流電圧ラインＡＣ３に接続される。したがって、直流電圧ラインＤＣ１およびＤＣ２を横切った直流出力電圧は、特別の状態において、第二および第三交流電圧ラインＡＣ２およびＡＣ３に供給された交流入力電圧から導出される。
【００４５】
「第四状態」において、２つの直流電圧ラインＤＣ１およびＤＣ２は、同じ交流電圧ラインに接続され、直流電圧ラインがともに短絡されるので電圧出力はない。 
【００４６】
マトリックス変換器４は、さらに、直流電圧ラインＤＣ１およびＤＣ２が、交流電圧ラインＡＣ１、ＡＣ２およびＡＣ３のいずれにも接続されない「第五状態」を備える。この状況において、直流リンクフィルター６に流れる電流は、フリーホイールダイオード２４を通る自然パスを備え、過剰電圧を引き起こす危険はない。図６における矢印は、マトリックス変換器が「第五状態」である場合の電流の流れを表わす。直流リンクフィルター６に流れる電流は、負荷に適用される他の状態の結果として負荷において以前に確立された電流である。
【００４７】
次に、出力直流電圧の波形がパルス幅変調技術を使用して生成される方法を、図７〜９を参照して説明する。図７は、所定の期間に交流電圧ラインＡＣ１、ＡＣ２およびＡＣ３に供給され、ゼロ電圧Ｖ０に関して対称的に配置されたシヌソイド三相入力交流電圧ＶＡＣ１、ＶＡＣ２およびＶＡＣ３を示す。左側のぬりつぶされた領域は、フリーホイールパスなしで従来のマトリックス変換器において使用されるパルス幅変調技術を表わす。右側のぬりつぶされた領域は、フリーホイールパスを備えたマトリックス変換器４において使用されるパルス幅変調技術を表わす。これらの異なるパルス幅変調技術は、それぞれ図８および９においてより詳細に示される。各ケースにおいて、マトリックス変換器４は、直流電圧ラインＤＣ１およびＤＣ２間で直流ターゲット電圧Ｖｔを生成するために使用される。パルス幅変調は、三相交流入力電圧の周波数より相当に大きいレートで実行される。５０Ｈｚで作動する三相交流入力電圧の場合、約２ｋＨｚのパルス幅変調ためのサンプリングレートが通常である。
【００４８】
図７におけるＶＡＣ１およびＶＡＣ２間のぬりつぶされた領域を参照して、電圧状態Ｖ１は、その期間の特別の状態における、第一交流電圧ラインＡＣ１に供給された交流入力電圧ＶＡＣ１と、第三交流電圧ラインＡＣ３に供給された交流入力電圧ＶＡＣ３との間の差を表わす。同様に、電圧状態Ｖ２は、その期間の特別の状態における第一交流電圧ラインＡＣ１に供給された交流入力電圧ＶＡＣ１と、第二交流電圧ラインＡＣ２に供給された交流入力電圧ＶＡＣ２との間の差を表わす。ターゲット電圧Ｖｔは、電圧状態Ｖ１よりわずかに小さく、それは電圧状態Ｖ１と電圧状態Ｖ２との間のパルス幅変調に必要である。したがって、スイッチアセンブリーは、直流電圧ラインＤＣ１およびＤＣ２を適切な交流電圧ラインＡＣ１、ＡＣ２およびＡＣ３に接続するために制御され、マトリックス変換器の直流出力電圧（つまり、直流電圧ラインＤＣ１およびＤＣ２によって供給された直流出力電圧ＶＤＣ１およびＶＤＣ２）が、電圧状態Ｖ１およびＶ２間でパルス幅変調され、時間平均がターゲット電圧Ｖｔと等しくなる。
【００４９】
特に、図８は、第一直流電圧ラインＤＣ１（ここで、ＶＤＣ１は灰色のラインによって表わされる）が、第一期間に第一交流電圧ラインＡＣ１に接続され、その後、第二期間に第三交流電圧ラインＡＣ３に接続され、その後、第三期間に第一交流電圧ラインＡＣ１に接続されること等を示す。第二直流電圧ラインＤＣ２（ここでＶＤＣ２は黒いラインによって表わされる）は、第一期間に第二交流電圧ラインＡＣ２に接続され、その後、第二期間に第一交流電圧ラインＡＣ１に接続され、その後、第三期間に第二交流電圧ラインＡＣ２に接続される等である。パルス幅変調のための時間系列は、下に示す表２によって表わすことができる。
【００５０】
【表２】
2008524978.tif 000004
【００５１】
図７におけるＶＡＣ３とＶ０との間のぬりつぶされた領域を参照して、本発明のマトリックス変換器４は、フリーホイールダイオード２４によって提供される追加の電圧状態Ｖ０から利益を得る。この場合、電圧状態Ｖ１’は、その期間の特別の状態における第三交流電圧ラインＡＣ３に供給される交流入力電圧ＶＡＣ３と、第二交流電圧ラインＡＣ２に供給される交流入力電圧ＶＡＣ２との間の差を表わす。ターゲット電圧Ｖｔは、電圧状態Ｖ１’よりわずかに小さく、それは電圧状態Ｖ１’と別の電圧状態との間のパルス幅変調に必要である。しかしながら、この場合に、ゼロ電圧状態Ｖ０は、スイッチアセンブリー１０ａ〜１０ｆのすべてを開き、マトリックス変換器４を「第五状態」に置くことによって使用される。したがって、スイッチアセンブリーは、直流出力ラインＤＣ１およびＤＣ２を適切な交流電圧ラインＡＣ１、ＡＣ２およびＡＣ３に接続し、交流電圧ラインＡＣ１、ＡＣ２およびＡＣ３のいずれにも接続しないように制御され、マトリックス変換器４の直流出力電圧（つまり直流電圧ラインＤＣ１およびＤＣ２によって供給された直流出力電圧ＶＤＣ１およびＶＤＣ２）が、電圧状態Ｖ１’とＶ０との間でパルス幅変調され、時間平均がターゲット電圧Ｖｔと等しくなる。
【００５２】
特に、図９を参照して、「第五状態」を使用するパルス幅変調のための時間系列を、下に示される表３によって説明する。 
【００５３】
【表３】
2008524978.tif 000005
【００５４】
フライホイールダイオード２４は、スイッチアセンブリー１０ａ〜１０ｆより電導損失が少ない。したがって、追加の電圧状態としてゼロ電圧Ｖ０の使用は、スイッチングデバイス損失を減少し、マトリックス変換器４の効率を改善する効果を有する。
【００５５】
また、ゼロ電圧Ｖ０の使用は、マトリックス変換器４のコモンモード電圧の削減を提供する。ＶＤＣ１が、第一直流電圧ラインＤＣ１によって供給される直流出力電圧であり、ＶＤＣ２が、第二直流電圧ラインＤＣ２によって供給される直流出力電圧である場合に、コモンモード電圧は、中立電圧Ｖ０に関して、（ＶＤＣ１＋ＶＤＣ２）／２として最も適切に表現される。直流電圧ラインＤＣ１およびＤＣ２が交流電圧ラインＡＣ１、ＡＣ２およびＡＣ３のどれにも接続されず、電流がフリーホイールダイオード２４に流れるような「第五状態」で、マトリックス変換器４が操作される場合、ゼロ電圧Ｖ０と直流電圧ラインＤＣ１およびＤＣ２との間にコモンモード電圧がまったく存在しないことは容易に認識されるだろう。マトリックス変換器４が、低い直流出力電圧を与えるためにパルス幅変調される場合、フライホイールダイオード２４は大部分の期間導通し、パルス幅変調方法は、直流電圧ラインＤＣ１およびＤＣ２でコモンモード電圧を最小化するスイッチング状態を利用するために最大可能な自由度が与えられる。これは負荷システムおよび電力変換デバイスの絶縁上のストレスを減少する。また、それは電磁気互換性（ＥＭＣ）に役立つ。
【００５６】
マトリックス変換器４は、スイッチング損失、構成要素の定格およびＥＭＣを最適化するためにスナバーを含むことができる。使用することができる最も単純なタイプのスナバーは、図１０に示されるような直列キャパシター抵抗器タイプ３０である。しかしながら、任意の適切なタイプのスナバーがマトリックス変換器４と共に使用することができることは容易に認識されるだろう。スナバーの動作の基本原理は、以下のとおりである。半導体デバイスが整流する場合、浮遊インダクタンスにおいてエネルギーがトラップされ、このインダクタンスは、電流の任意の変化に対抗する瞬間的電圧を誘導することによって、半導体デバイスにおける整流の動作に対抗する。対応する瞬間的電圧は、半導体デバイスによって消費される。この瞬間的電圧は、半導体ピーク電圧およびスイッチング損失定格に強い影響を及ぼす。スナバーは、半導体デバイスに並列に（つまり電流が半導体デバイスによって中断される任意の浮遊インダクタンスに直列に）接続される。半導体デバイスが整流する場合、瞬間的電圧は電流をスナバーに流す。スナバーの主に容量性の特性は、半導体デバイス定格およびＥＭＣに利益を与えるようなやり方でシステムの過渡的挙動を減速させるように働くが、同時にスナバーにおける望まれない消散をこうむらせる。
【００５７】
図１０に示すように、単一のキャパシター抵抗器タイプスナバー３０は、フライホイールダイオード２４と並列に接続されている。スナバーは、スイッチアセンブリー１０ａ〜１０ｆのいずれにも適用されない。これは、どんなスイッチ状態が、マトリックス変換器４に適用される場合でも、スナバー３０が浮遊インダクタンスと常に直列になるためである。したがって、マトリックス変換器４において、フライホイールダイオード２４、単一のスイッチアセンブリー、あるいは二つのスイッチアセンブリーの同時動作によって整流が始められる場合に、スナバー３０は制動（damping）を提供する。言いかえれば、スナバー３０の利益は、フライホイールダイオード２４に加えてスイッチアセンブリー１０ａ〜１０ｆのすべてによって経験される。これはマトリックス変換器４の効率を改善し、回路設計を非常に単純化する。
【００５８】
スイッチアセンブリー１０ａ〜１０ｆ、およびフライホイールダイオード２４が、直列接続された二つ以上の半導体デバイスから成るようなもっと高度な場合に、専用スナバーは、しばしば直列電圧共有のために慣例通りに使用される。フリーホイールダイオード２４と並列に接続されたスナバー３０の追加は、専用スナバーの定格および複雑さを減少することができることを意味する。したがって、従来のＮ＋１直列冗長方法は、マトリックス変換器４の全体的効率を落とすことなく使用することができる。
【００５９】
図１１および１２は、マトリックス変換器４の交流電圧ラインＡＣ１、ＡＣ２およびＡＣ３に供給された三相交流電源電圧の典型的な電流および電圧波形を示す。図１３は、マトリックス変換器４によって作られるフィルターされていない直流出力電圧波形を示す。最後に、図１４は、直流リンクフィルター６によってフィルターされた後のマトリックス変換器４の整流された直流出力電圧波形を示す。波形は、マトリックス変換器４が、従来のマトリックス変換器の高い供給力率および低い供給ひずみを保持することを実証する。図１１および１２において、電流および電圧は位相で示される。これは、いくつかのアプリケーションにおいて望ましい。本発明によるマトリックス変換器は、従来のマトリックス変換器のように供給力率を制御するための同様の能力を共有する。
【００６０】
図１５に示すように代替の電力変換デバイスには、インバーターはない。電力変換デバイスは、第一交流ラインフィルター１０２ａ、第一マトリックス変換器１０４ａおよび第一直流リンクチョーク（あるいはインダクター）１０６ａを含む第一並列パス、ならびに第二交流ラインフィルター１０２ｂ、第二マトリックス変換器１０４ｂおよび第二直流リンクチョーク（あるいはインダクター）１０６ｂを含む第二並列パスから成る。図１５の電力変換デバイスは、第一並列パスおよび第二並列パスを含んでいるが、代替の電力変換デバイスが、任意の数の並列パスを含んでいてもよいことは容易に認識されるだろう。
【００６１】
第一マトリックス変換器１０４ａは、３つの交流電圧ラインＡＣ１ａ、ＡＣ２ａおよびＡＣ３ａ、ならびに２つの直流電圧ラインＤＣ１ａおよびＤＣ２ａを含む。６つのスイッチアセンブリー１０８ａ〜１０８ｆは、交流電圧ラインＡＣ１ａ、ＡＣ２ａおよびＡＣ３ａのいずれかが、直流電圧ラインＤＣ１ａおよびＤＣ２ａのいずれかに接続されることを可能にする。例えば、スイッチアセンブリー１０８ａは、第一交流電圧ラインＡＣ１ａを第一直流電圧ラインＤＣ１ａに接続することができ、スイッチアセンブリー１０８ｂは、第一交流電圧ラインＡＣ１ａを第二直流電圧ラインＤＣ２ａに接続することができる等である。スイッチアセンブリー１０８ａ〜１０８ｆは、第一マトリックス変換器１０４ａがモーターまたは発生アプリケーションのために使用されるかどうかによって一方向または双方向になり得る。フリーホイールダイオード１２４ａは、直流電圧ラインＤＣ１ａとＤＣ２ａとの間に提供される。フリーホイールダイオード１２４ａの目的は、上に記述したように第一マトリックス変換器１０４ａに「第五状態」を提供することである。
【００６２】
第一交流ラインフィルター１０２ａは、３つの交流電圧ラインＡＣ１ａ、ＡＣ２ａおよびＡＣ３ａの各々の間に配置された３つのキャパシター１１２ａ、１１２ｂおよび１１２ｃを含んでいる。
【００６３】
第二マトリックス変換器１０４ｂは、ＡＣ１ｂ、ＡＣ２ｂおよびＡＣ３ｂとラベルの付いた３つの交流電圧ライン、ならびにＤＣ１ｂおよびＤＣ２ｂとラベルの付いた２つの直流電圧ラインを含んでいる。６つのスイッチアセンブリー１１０ａ〜１１０ｆは、交流電圧ラインＡＣ１ｂ、ＡＣ２ｂおよびＡＣ３ｂのいずれかが、直流電圧ラインＤＣ１ｂおよびＤＣ２ｂのいずれかに接続されることを可能にする。例えば、スイッチアセンブリー１１０ａは、第一交流電圧ラインＡＣ１ｂを第一直流電圧ラインＤＣ１ｂに接続することができ、スイッチアセンブリー１１０ｂは、第一交流電圧ラインＡＣ１ｂを第二直流電圧ラインＤＣ２ｂに接続すること等ができる。スイッチアセンブリー１１０ａ〜１１０ｆは、第二マトリックス変換器１０４ｂがモーターまたは発生アプリケーションのために使用されるかどうかによって、一方向または双方向になり得る。フリーホイールダイオード１２４ｂは、直流電圧ラインＤＣ１ｂとＤＣ２ｂとの間に提供される。フリーホイールダイオード１２４ｂの目的は、上に記述したように第二マトリックス変換器１０４ｂに「第五状態」を提供することである。
【００６４】
第二交流ラインフィルター１０２ｂは、３つの交流電圧ラインＡＣ１ｂ、ＡＣ２ｂおよびＡＣ３ｂの各々の間に配置される３つのキャパシター１１４ａ、１１４ｂおよび１１４ｃを含んでいる。
【００６５】
第一および第二マトリックス変換器１０４ａおよび１０４ｂは、上に記述したマトリックス変換器と同じ方法で作動する。
【００６６】
第一マトリックス変換器１０４ａの交流電圧ラインＡＣ１ａ、ＡＣ２ａおよびＡＣ３ａ、ならびに第二マトリックス変換器１０４ｂの交流電圧ラインＡＣ１ｂ、ＡＣ２ｂおよびＡＣ３ｂは、３つの共通交流電圧ラインＡＣ１ｃ、ＡＣ２ｃおよびＡＣ３ｃに接続される。同様に、第一マトリックス変換器１０４ａの直流電圧ラインＤＣ１ａおよびＤＣ２ａ、ならびに第二マトリックス変換器１０４ｂの直流電圧ラインＤＣ１ｂおよびＤＣ２ｂは、２つの共通直流電圧ラインＤＣ１ｃおよびＤＣ２ｃに接続される。直流リンクフィルター１１６は、２つの共通直流電圧ラインＤＣ１ｃとＤＣ２ｃとの間に配置されたキャパシター１１８を含んでいる。
【００６７】
モーターアプリケーションにおいて、三相交流入力電圧は、電源ネットワークから共通交流電圧ラインＡＣ１ｃ、ＡＣ２ｃおよびＡＣ３ｃに供給され、第一および第二マトリックス変換器１０４ａおよび１０４ｂによって整流され、共通直流電圧ラインＤＣ１ｃおよびＤＣ２ｃ上に直流出力電圧を提供する。直流出力電圧は、インバーター（図示しないが、例えば電圧源インバーター）に供給され、インバートされる。インバーターから生じる交流出力電圧は、例えば可変速度ドライブ（図示しない）を駆動するために使用することができる。
【００６８】
発生アプリケーションにおいて、直流入力電圧は、共通直流電圧ラインＤＣ１ｃおよびＤＣ２ｃに供給され、マトリックス変換器１０４ａおよび１０４ｂによってインバートされ、共通交流電圧ラインＡＣ１ｃ、ＡＣ２ｃおよびＡＣ３ｃ上に交流出力電圧を提供する。第一および第二マトリックス変換器１０４ａおよび１０４ｂは、発生アプリケーションのためにも使用することができるが、本発明の主な利点は、モーターアプリケーションにおいて実現されることに留意することは重要である。
【００６９】
第一および第二マトリックス変換器１０４ａおよび１０４ｂが、共通交流電圧ラインＡＣ１ｃ、ＡＣ２ｃおよびＡＣ３ｃ、ならびに共通直流電圧ラインＤＣ１ｃおよびＤＣ２ｃに接続され、これらが、交流ラインフィルター１０２ａ、１０２ｂおよびキャパシター１１８によってフィルターされるので、各マトリックス変換器のパルス幅変調スイッチング損失は、別のマトリックス変換器のそれからデカップルされる。これは、電力変換デバイスが動作中の任意の時に、第一および第二マトリックス変換器の一方がパルス抑圧され得、別のマトリックス変換器がパルス幅変調方法に従って制御されることを意味する。複数の並列パスが提供され、より多くのマトリックス変換器がパルス抑圧されるような一般的な場合に、パルス幅変調スイッチング損失によって引き起こされた損失が減少し、半導体デバイスの電導損失によって引き起こされる損失が増加する。パルス抑圧されるマトリックス変換器の数、および従来のパルス幅変調方法に従って制御されるマトリックス変換器の数は、全消費損失を最適化するために設定され、それにより電力変換デバイスの効率を最大限にすることができる。複数の並列接続マトリックス変換器が同時に操作される場合に、それらは、電流の共有を提供する位相および方法における基本電圧でパルス幅変調される。パルス幅変調キャリアーは、電源電圧ひずみを最小限にするために優先的に位相シフトされる。パルスが抑圧される場合、すべてのスイッチデバイスは連続的にターンオフし、パルス抑圧マトリックス変換器は、交流ライン電流を流さない。パルス抑圧マトリックス変換器のフリーホイールダイオードは、ある状況、例えば共通直流電圧ラインＤＣ１ｃおよびＤＣ２ｃに低い直流電圧がある場合に、電流のパルスを流す。
【００７０】
図示しないが、スイッチングまたは他の適切な手段が、第一および第二マトリックス変換器１０４ａおよび１０４ｂの各々を互いから分離するために提供されることは容易に認識されるだろう。第一および第二マトリックス変換器１０４ａおよび１０４ｂの一つが突発故障を被った場合、それは安全に分離され、従来のＮ＋１並列冗長が提供される。一般的に、スイッチギヤーまたはヒューズは、一つ以上のマトリックス変換器の交流および／または直流ターミナルをマトリックス変換器の大きなグループから分離するために提供される。したがって、損傷した、または正常に機能しないマトリックス変換器は、正常に機能するマトリックス変換器がサービス提供不可能になることを防ぎ、それによりシステムの性能低下を減少させることができる。
【００７１】
第一および第二マトリックス変換器１０４ａおよび１０４ｂのパルス幅変調キャリアーは、交流ラインフィルター１０２ａおよび１０２ｂに流れるリプル電流の位相キャンセルを最適化するように位相シフトされる。したがって、交流ラインフィルター１０２ａおよび１０２ｂの設計を単純化することができ、ＥＭＩを最小限にすることができる。より詳細には、マトリックス変換器１０４ａおよび１０４ｂは、パルス幅変調サンプリング周波数におけるインダクター１０６ａおよび１０６ｂの電流によって決定された大きさの電流のパルスを、交流ラインフィルター１０２ａおよび１０２ｂへ注入する。結果として、交流ラインフィルター１０２ａおよび１０２ｂは、パルス幅変調サンプリング周波数の電圧リプルを経験する。したがって、脈流が位相シフトされて、高調波キャンセルを容易にし、電圧ひずみを減少する。
【００７２】
単一のスナバー（図示しないが、例えばキャパシター抵抗器タイプ）は、フライホイールダイオード１２４ａおよび１２４ｂの各々と並列に接続することができる。したがって、個々の並列パスは、単一のスナバーを含んでいる。この方法で、個々の並列パスにおけるスナバーの過渡応答は、他の並列パスにおけるスナバーからの衝撃を緩和することができる。この結果、並列パスのいずれかのマトリックス変換器は、他の並列パスにおけるマトリックス変換器のパルス幅変調動作に関係するスイッチング損失を招くことなくパルス抑圧される。上に言及したように、パルス抑圧されたマトリックス変換器の数、およびパルス幅変調方法に従って制御されるマトリックス変換器の数は、電力変換デバイスの効率を最適化するために必要とされる場合に設定することができる（これは半導体電導損失と全スイッチング損失との間のトレードオフになる）。したがって、従来のＮ＋１並列冗長方法は、電力変換デバイスの全体的効率を危険にさらすことなしに使用できる。
【００７３】
本発明は、純粋に例示のために記述され、請求される発明の範囲内で変更することが可能である。また、本発明は、任意の個別の特徴、ここに記述されまたは前提とされ、あるいは図面において示されまたは前提とされ、あるいはそのような特徴の任意の組み合わせ、あるいはそのような特徴の任意の一般化あるいはその等価物まで及ぶ組み合わせを有する。したがって、本発明の幅および範囲は、上に記述された例示的な実施例のいずれによっても制限されるべきではない。請求項と図面を含む明細書において開示された各特徴は、他の方法で明らかに述べられない限り、同じもの、等価物または同様の目的に役立つ代替の特徴によって置き換えてもよい。
【００７４】
明細書の全体にわたる先行技術のいずれの議論も、そのような先行技術が広く知られており、あるいはその領域において共通の一般知識の部分を形成することを承認するものではない。
【００７５】
文脈上明確に要求されていない限り、明細書の記載及び請求項の全体に亘り、用語「含む」、「含んでいる」および同種のものは、排他的ではなく包括的に、あるいは完全な意味；すなわち「含むが、制限されない」という意味に解釈されるべきである。
【図面の簡単な説明】
【００７６】
本発明の例示的な実施態様は、添付する図面を参照して説明される：
【図１】従来の三相から三相のマトリックス変換器を示す回路図；
【図２】図２ａは、逆並列および共通コレクタ配置でともに接続されたペアの高速回復ダイオード（ＦＲＤ）およびペアの絶縁ゲートバイポーラトランジスタ（ＩＧＢＴ）を使用する双方向スイッチ実装を示す回路図であり、図２ｂは、直並列および共通エミッタ配置でともに接続されたペアの高速回復ダイオード（ＦＲＤ）およびペアの絶縁ゲートバイポーラトランジスタ（ＩＧＢＴ）を使用する双方向スイッチ実装を示す回路図；
【図３】本発明によるマトリックス変換器を組込む２ステージ電力変換デバイスの回路図；
【図４】モーターおよび発生アプリケーションに適した本発明によるマトリックス変換器の回路図；
【図５】モーターアプリケーションにのみ適した本発明によるマトリックス変換器の回路図；
【図６】直流出力ラインが直流入力ラインのどれにも接続されない場合にマトリックス変換器を介する電流の流れを示す回路図である（つまり、マトリックス変換器は「第五状態」）；
【図７】マトリックス変換器のターゲット電圧がパルス幅変調技術を使用してどのように得られるかを示す概要図；
【図８】パルス幅変調技術が従来のマトリックス変換器にどのように適用されるかを示す概要図；
【図９】本発明によるパルス幅変調技術がマトリックス変換器にどのように適用されるかを示す概要図；
【図１０】スイッチング援助ネットワーク（スナバー）がマトリックス変換器の直流電圧ラインを横切ってどのように接続することができるかを示す回路図；
【図１１】マトリックス変換器に供給された交流入力電圧の電流波形を示す図；
【図１２】マトリックス変換器に供給された交流入力電圧の電圧波形を示す図；
【図１３】マトリックス変換器によって提供されたフィルターされない直流出力電圧の電圧波形を示す図；
【図１４】マトリックス変換器によって提供されたフィルターされた直流出力電圧の電圧波形を示す図；ならびに
【図１５】本発明による２つのマトリックス変換器がどのように並列に接続することができるかを示す回路図。
【図１】
2008524978.tif 000006
【図２】
2008524978.tif 000007
【図３】
2008524978.tif 000008
【図４】
2008524978.tif 000009
【図５】
2008524978.tif 000010
【図６】
2008524978.tif 000011
【図７】
2008524978.tif 000012
【図８】
2008524978.tif 000013
【図９】
2008524978.tif 000014
【図１０】
2008524978.tif 000015
【図１１】
2008524978.tif 000016
【図１２】
2008524978.tif 000017
【図１３】
2008524978.tif 000018
【図１４】
2008524978.tif 000019
【図１５】
2008524978.tif 000020
【手続補正書】
【提出日】平成18年10月4日(2006.10.4)
【手続補正１】
【補正対象書類名】特許請求の範囲
【補正対象項目名】全文
【補正方法】変更
【補正の内容】
【特許請求の範囲】
【請求項１】
次のものを含む、マトリックス変換器（４）：
３つの交流電圧ライン（ＡＣ１，ＡＣ２，ＡＣ３）； 
２つの直流電圧ライン（ＤＣ１，ＤＣ２）； 
関連するスイッチが閉まるときに、３つの交流電圧ライン（ＡＣ１，ＡＣ２，ＡＣ３）の各々が２つの直流電圧ライン（ＤＣ１，ＤＣ２）のうちの１つに接続することができるように、３つの交流電圧ラインのうちの第一ライン（ＡＣ１）と２つの直流電圧ラインのうちの第一ライン（ＤＣ１）との間に接続された第一スイッチ（１０ａ）、３つの交流電圧ラインのうちの第二ライン（ＡＣ２）と２つの直流電圧ラインのうちの第一ライン（ＤＣ１）との間に接続された第二スイッチ（１０ｃ）、３つの交流電圧ラインのうちの第三ライン（ＡＣ３）と２つの直流電圧ラインのうちの第一ライン（ＤＣ１）との間に接続された第三スイッチ（１０ｅ）、３つの交流電圧ラインのうちの第一ライン（ＡＣ１）と２つの直流電圧ラインのうちの第二ライン（ＤＣ２）との間に接続された第四スイッチ（１０ｂ）、３つの交流電圧ラインのうちの第二ライン（ＡＣ２）と２つの直流電圧ラインのうちの第二ライン（ＤＣ２）との間に接続された第五スイッチ（１０ｄ）、および３つの交流電圧ラインのうちの第三ライン（ＡＣ３）と２つの直流電圧ラインのうちの第二ライン（ＤＣ２）との間に接続された第六スイッチ（１０ｆ）；ならびに
２つの直流電圧ライン間のフリーホイールパス（２２）；
マトリックス変換器が、一方向直流電圧を保持している間に、双方向電力潮流を調整するために適応されることを特徴とする。
【請求項２】
フリーホイールパス（２２）がダイオード（２４）を含む、請求項１記載のマトリックス変換器。
【請求項３】
フリーホイールパスが切り替えられるフリーホイールパスである、請求項１記載のマトリックス変換器。
【請求項４】
切り替えられるフリーホイールパスがサイリスターを含む、請求項３記載のマトリックス変換器。
【請求項５】
切り替えられるフリーホイールパスが、逆ブロッキング性能を有する半導体デバイスを含む、請求項３記載のマトリックス変換器。
【請求項６】
半導体デバイスがＲＢ−ＩＧＢＴである、請求項５記載のマトリックス変換器。
【請求項７】
半導体デバイスがＲＢ−ＧＴＯである、請求項５記載のマトリックス変換器。
【請求項８】
第一、第二、第三、第四、第五および第六スイッチ（１０ａ−１０ｆ）が一方向性である、請求項１〜７のいずれかに記載のマトリックス変換器。
【請求項９】
第一、第二、第三、第四、第五および第六スイッチ（１０ａ−１０ｆ）が半導体スイッチ（１２）を含む、請求項８記載のマトリックス変換器。
【請求項１０】
半導体スイッチ（１２）が逆ブロッキング性能を有する、請求項９記載のマトリックス変換器。
【請求項１１】
半導体スイッチがＲＢ−ＩＧＢＴである、請求項９または請求項１０記載のマトリックス変換器。
【請求項１２】
半導体スイッチがＲＢ−ＧＴＯである、請求項９または請求項１０記載のマトリックス変換器。
【請求項１３】
第一、第二、第三、第四、第五および第六スイッチ（１０ａ−１０ｆ）が、直列配置でともに接続された半導体スイッチ（１２）およびダイオード（１４）を含む、請求項８記載のマトリックス変換器。
【請求項１４】
半導体スイッチがＩＧＢＴである、請求項１３記載のマトリックス変換器。
【請求項１５】
半導体スイッチがＭＯＳＦＥＴである、請求項１３記載のマトリックス変換器。
【請求項１６】
半導体スイッチがＩＧＣＴである、請求項１３記載のマトリックス変換器。
【請求項１７】
半導体スイッチがＭＣＴである、請求項１３記載のマトリックス変換器。
【請求項１８】
半導体スイッチがＧＴＯである、請求項１３記載のマトリックス変換器。
【請求項１９】
ダイオードがＦＲＤである、請求項１３記載のマトリックス変換器。
【請求項２０】
第一、第二、第三、第四、第五および第六スイッチ（１０ａ−１０ｆ）が双方向性である、請求項１〜７のいずれかに記載のマトリックス変換器。
【請求項２１】
第一、第二、第三、第四、第五および第六スイッチ（１０ａ−１０ｆ）が半導体スイッチ（１２）を含む、請求項２０記載のマトリックス変換器。
【請求項２２】
半導体スイッチ（１２）が逆ブロッキング性能を有する、請求項２１記載のマトリックス変換器。
【請求項２３】
半導体スイッチがＲＢ−ＩＧＢＴである、請求項２２記載のマトリックス変換器。
【請求項２４】
半導体スイッチがＲＢ−ＧＴＯである、請求項２２記載のマトリックス変換器。
【請求項２５】
第一、第二、第三、第四、第五および第六スイッチ（１０ａ−１０ｆ）が、直並列配置でともに接続された逆向きペアの半導体スイッチ（１２）およびペアのダイオード（１４）を含む、請求項２１記載のマトリックス変換器。
【請求項２６】
ペアの半導体スイッチがＩＧＢＴである、請求項２５記載のマトリックス変換器。
【請求項２７】
ペアのＩＧＢＴのエミッタがともに接続される、請求項２６記載のマトリックス変換器。
【請求項２８】
ペアのＩＧＢＴのコレクタがともに接続される、請求項２６記載のマトリックス変換器。
【請求項２９】
ペアの半導体スイッチがＭＯＳＦＥＴである、請求項２５記載のマトリックス変換器。
【請求項３０】
ペアの半導体スイッチがＩＧＣＴである、請求項２５記載のマトリックス変換器。
【請求項３１】
ペアの半導体スイッチがＭＣＴである、請求項２５記載のマトリックス変換器。
【請求項３２】
ペアの半導体スイッチがＧＴＯである、請求項２５記載のマトリックス変換器。
【請求項３３】
ペアのダイオードがＦＲＤである、請求項２５記載のマトリックス変換器。
【請求項３４】
ペアの半導体スイッチの電流定格および／またはペアのダイオードの電流定格が非対称である、請求項２５〜３３のいずれかに記載のマトリックス変換器。
【請求項３５】
請求項１〜３４のいずれかに記載のマトリックス変換器を使用する電力変換方法であって、次のステップを含む方法：
直流電圧ライン（ＤＣ１，ＤＣ２）に交流電圧の瞬間サンプルを供給するステップ；ならびに
直流電流がフリーホイールパス（２２）を介して流れるように、マトリックス変換器の第一、第二、第三、第四、第五および第六スイッチ（１０ａ−１０ｆ）を開くステップ。
【請求項３６】
次のものを含む、電力変換デバイス：
請求項１〜３４のいずれかに記載のマトリックス変換器；および
インバーター（８）。
【請求項３７】
インバーターが、電流源インバーターであり、インバーターまたは整流器として作動する、請求項３６記載の電力変換デバイス。
【請求項３８】
インバーターが、電圧源インバーターであり、インバーターまたは整流器として作動する、請求項３７記載の電力変換デバイス。
【請求項３９】
さらに、マトリックス変換器の直流電圧ライン（ＤＣ１，ＤＣ２）間に接続された直流リンクフィルター（６）を含む、請求項３６〜３８のいずれかに記載の電力変換デバイス。
【請求項４０】
さらに、マトリックス変換器の交流電圧ライン（ＡＣ１，ＡＣ２，ＡＣ３）に接続された交流ラインフィルター（２）を含む、請求項３６〜３９のいずれかに記載の電力変換デバイス。
【請求項４１】
さらに、マトリックス変換器の直流電圧ライン（ＤＣ１，ＤＣ２）間に接続されたスイッチング援助ネットワーク（スナバー）を含む、請求項３６〜４０のいずれかに記載の電力変換デバイス。
【請求項４２】
スイッチング援助ネットワーク（スナバー）（３０）が、キャパシター抵抗器タイプである、請求項４１記載の電力変換デバイス。
【請求項４３】
次のものを含む、電力変換デバイス：
請求項１〜３４のいずれかに記載の第一のマトリックス変換器（１０４ａ）；ならびに
請求項１〜３４のいずれかに記載の第二のマトリックス変換器（１０４ｂ）；
ここで、第一および第二マトリックス変換器（１０４ａ，１０４ｂ）が並列に配置されるように、第一マトリックス変換器（１０４ａ）の３つの交流電圧ライン（ＡＣ１ａ，ＡＣ２ａ，ＡＣ３ａ）および第二マトリックス変換器（１０４ｂ）の３つの交流電圧ライン（ＡＣ１ｂ，ＡＣ２ｂ，ＡＣ３ｂ）がともに接続され、ならびに第一マトリックス変換器（１０４ａ）の２つの直流電圧ライン（ＤＣ１ａ，ＤＣ２ａ）および第二マトリックス変換器（１０４ｂ）の２つの直流電圧ライン（ＤＣ１ｂ，ＤＣ２ｂ）がともに接続される、電力変換デバイス。
【請求項４４】
さらに、第一マトリックス変換器（１０４ａ）の交流電圧ライン（ＡＣ１ａ，ＡＣ２ａ，ＡＣ３ａ）に接続された交流ラインフィルター（１０２ａ）および第二マトリックス変換器（１０４ｂ）の交流電圧ライン（ＡＣ１ｂ，ＡＣ２ｂ，ＡＣ３ｂ）に接続された交流ラインフィルター（１０２ｂ）を含む、請求項４３記載の電力変換デバイス。
【請求項４５】
さらに、第一マトリックス変換器（１０４ａ）の直流電圧ライン（ＤＣ１ａ，ＤＣ２ａ）間の第一スイッチング援助ネットワーク（スナバー）および第二マトリックス変換器（１０４ｂ）の直流電圧ライン（ＤＣ１ｂ，ＤＣ２ｂ）間の第二スイッチング援助ネットワーク（スナバー）を含む、請求項４３または請求項４４記載の電力変換デバイス。
【請求項４６】
第一および第二スイッチング援助ネットワーク（スナバー）がキャパシター抵抗器タイプである、請求項４５記載の電力変換デバイス。
【請求項４７】
第一マトリックス変換器（１０４ａ）の直流電圧ライン（ＤＣ１ａ，ＤＣ２ａ）および第二マトリックス変換器（１０４ｂ）の直流電圧ライン（ＤＣ１ｂ，ＤＣ２ｂ）が、２つの共通の直流電圧ライン（ＤＣ１ｃ，ＤＣ２ｃ）に接続され、さらに、共通の直流電圧ライン（ＤＣ１ｃ，ＤＣ２ｃ）間に接続された直流リンクフィルター（１１６）を含む、請求項４３〜４６のいずれかに記載の電力変換デバイス。
【請求項４８】
さらに、第一および第二マトリックス変換器（１０４ａ，１０４ｂ）を互いから選択的に隔離するための手段を含む、請求項４３〜４７のいずれかに記載の電力変換デバイス。
【請求項４９】
さらに、インバーターを含む、請求項４３〜４８のいずれかに記載の電力変換デバイス。
【請求項５０】
インバーターが電流源インバーターである、請求項４９記載の電力変換デバイス。
【請求項５１】
インバーターが電圧源インバーターである、請求項４９記載の電力変換デバイス。
【国際調査報告】
2008524978.tif 000021
2008524978.tif 000022
2008524978.tif 000023
2008524978.tif 000024